(57)【要約】【課題】  数珠を収納した際に房が乱れた状態となるのを防止することができる数珠入れを提供する。【解決手段】  房４を有する数珠６を収納するための数珠入れ２であり、袋本体８と、房４を収納するための保護カバー体１０と、袋本体８と保護カバー体１０とを接続するための接続部材１２と、を備え、数珠６は、その房４が保護カバー体１０に収納された状態で袋本体８に収納される。これにより、数珠６が袋本体８に収納された状態において、房４が外側に拡がったり、各房糸４４が折れ曲がったりすることがなく、数珠６の外観を損なうことがない。【選択図】  図４
0003112787.tif 000002
【実用新案登録請求の範囲】
【請求項１】
房を有する数珠を収納するための数珠入れにおいて、
袋本体と、房を収納するための保護カバー体と、を備え、数珠は、その房が前記保護カバー体に収納された状態で前記袋本体に収納されることを特徴とする数珠入れ。
【請求項２】
前記袋本体と前記保護カバー体とを接続するための接続部材を備えたことを特徴とする請求項１に記載の数珠入れ。
【請求項３】
前記接続部材と前記保護カバー体とは相互に着脱自在に構成されていることを特徴とする請求項２に記載の数珠入れ。
【請求項４】
前記保護カバー体は、略矩形状の本体部と、前記本体部の一端部と他端部とを相互に着脱自在に結合するための結合手段と、から構成されており、
前記本体部を房に巻き付け、前記本体部の一端部と他端部とを前記結合手段により相互に結合することにより、房が前記保護カバー体に収納されることを特徴とする請求項１〜３のいずれかに記載の数珠入れ。
【請求項５】
前記結合手段は、前記本体部の片面の一端部に設けられた第１の面ファスナと、前記本体部の他面の他端部に設けられた第２の面ファスナと、から構成され、前記第１の面ファスナと前記第２の面ファスナとが相互に着脱自在に係止されることを特徴とする請求項４に記載の数珠入れ。
【請求項６】
前記保護カバー体は筒状に構成され、その一方の開口部には紐通し部が設けられ、前記紐通し部には絞り紐が挿通されており、前記絞り紐を引くことにより前記保護カバー体の前記一方の開口部が絞られることを特徴とする請求項１〜３のいずれかに記載の数珠入れ。
【考案の詳細な説明】
【技術分野】
【０００１】
本考案は、房を有する数珠を収納するための数珠入れに関する。
【背景技術】
【０００２】
例えば宗教行事や葬祭などに出向く際に、数珠を持ち歩く場合がある。このように数珠を持ち歩く際には数珠入れが用いられ、この数珠入れに数珠を収納することにより数珠を手軽に持ち歩くことができる（例えば、特許文献１参照）。
【０００３】
【特許文献１】実開昭６２−６８６２０号公報
【考案の開示】
【考案が解決しようとする課題】
【０００４】
しかしながら、従来の数珠入れでは、次のような問題がある。一般的に用いられる数珠は、環状の数珠本体と、この数珠本体に取り付けられた房と、を有しており、この房は多数本の房糸から構成され、各房糸の一端部が結束されて数珠本体に取り付けられている。このように構成されているので、数珠を数珠入れに収納すると、房が外側に拡がったり、各房糸が折れ曲がったりするなどしやすく、このように房が乱れた状態のまま数珠を数珠入れに収納すると、房に拡がりぐせや曲がりぐせなどが付いてしまい、数珠の外観を損なってしまうという問題がある。
【０００５】
本考案の目的は、数珠を収納した際に房が乱れた状態となるのを防止することができる数珠入れを提供することである。
【課題を解決するための手段】
【０００６】
本考案の請求項１に記載の数珠入れでは、房を有する数珠を収納するための数珠入れにおいて、
袋本体と、房を収納するための保護カバー体と、を備え、数珠は、その房が前記保護カバー体に収納された状態で前記袋本体に収納されることを特徴とする。
【０００７】
また、本考案の請求項２に記載の数珠入れでは、前記袋本体と前記保護カバー体とを接続するための接続部材を備えたことを特徴とする。
さらに、本考案の請求項３に記載の数珠入れでは、前記接続部材と前記保護カバー体とは相互に着脱自在に構成されていることを特徴とする。
【０００８】
また、本考案の請求項４に記載の数珠入れでは、前記保護カバー体は、略矩形状の本体部と、前記本体部の一端部と他端部とを相互に着脱自在に結合するための結合手段と、から構成されており、
前記本体部を房に巻き付け、前記本体部の一端部と他端部とを前記結合手段により相互に結合することにより、房が前記保護カバー体に収納されることを特徴とする。
【０００９】
さらに、本考案の請求項５に記載の数珠入れでは、前記結合手段は、前記本体部の片面の一端部に設けられた第１の面ファスナと、前記本体部の他面の他端部に設けられた第２の面ファスナと、から構成され、前記第１の面ファスナと前記第２の面ファスナとが相互に着脱自在に係止されることを特徴とする。
【００１０】
また、本考案の請求項６に記載の数珠入れでは、前記保護カバー体は筒状に構成され、その一方の開口部には紐通し部が設けられ、前記紐通し部には絞り紐が挿通されており、前記絞り紐を引くことにより前記保護カバー体の前記一方の開口部が絞られることを特徴とする。
【考案の効果】
【００１１】
本考案の請求項１に記載の数珠入れによれば、袋本体と、房を収納するための保護カバー体と、を備え、数珠は、その房が保護カバー体に収納された状態で袋本体に収納されるので、数珠を袋本体に収納した際に、房が外側に拡がったり、各房糸が折れ曲がったりするなどして房が乱れた状態となるのを防止することができ、房に拡がりぐせや曲がりぐせなどが付いてしまうのを防止することが可能となる。また、保護カバー体は、袋本体と一体に構成してもよく、あるいは袋本体と着脱自在に構成するようにしてもよい。
【００１２】
また、本考案の請求項２に記載の数珠入れによれば、袋本体と保護カバー体とを接続するための接続部材を備えているので、例えば数珠を袋本体から取り出す際に、保護カバー体が袋本体から落下するのを防止することができ、これにより保護カバー体を紛失してしまうことがない。
【００１３】
さらに、本考案の請求項３に記載の数珠入れによれば、接続部材と保護カバー体とは相互に着脱自在に構成されているので、房が保護カバー体に収納された状態のままで数珠を袋本体から取り出すことができ、袋本体から取り出した数珠を例えば上着のポケットなどに収納する際にも、房が乱れた状態となるのを防止することが可能となる。
【００１４】
また、本考案の請求項４に記載の数珠入れによれば、保護カバー体は、略矩形状の本体部と、本体部の一端部と他端部とを相互に着脱自在に結合するための結合手段と、から構成されているので、本体部を房に巻き付け、本体部の一端部と他端部とを結合手段により相互に結合することにより、房が保護カバー体に収納される。したがって、数珠の房は、束ねられた状態で保護カバー体に収納されるので、数珠を袋本体に収納した際に、房が外側に拡がったり、各房糸が折れ曲がったりするなどして房が乱れた状態となるのを防止することができ、房に拡がりぐせや曲がりぐせなどが付いてしまうのを防止することが可能となる。
【００１５】
さらに、本考案の請求項５に記載の数珠入れによれば、結合手段は、本体部の片面の一端部に設けられた第１の面ファスナと、本体部の他面の他端部に設けられた第２の面ファスナと、から構成されているので、本体部を房に巻き付け、第１の面ファスナと第２の面ファスナとを相互に着脱自在に係止することにより、房を容易に保護カバー体に収納することが可能となる。
【００１６】
また、本考案の請求項６に記載の数珠入れによれば、保護カバー体は筒状に構成され、その一方の開口部には紐通し部が設けられ、紐通し部には絞り紐が挿通されているので、房を保護カバー体に収納し、絞り紐を引いて保護カバー体の一方の開口部を絞ることにより、房が保護カバー体より抜けてしまうことがなく、房を保護カバー体に確実に収納することが可能となる。
【考案を実施するための最良の形態】
【００１７】
以下、添付図面を参照して、本考案に従う数珠入れの各種実施形態について説明する。
第１の実施形態
まず、図１〜図４を参照して、第１の実施形態の数珠入れについて説明する。図１は、本考案の第１の実施形態による数珠入れを示す斜視図であり、図２は、数珠の房を図１の保護カバー体に収納する前の状態を示す図であり、図３は、数珠の房を図１の保護カバー体に収納した状態を示す図であり、図４は、数珠の一部が図１の数珠入れに収納された状態を示す図である。
【００１８】
図１〜図４において、図示の数珠入れ２は、房４を有する数珠６を収納するためのものであって、袋本体８と、房４を収納して保護するための保護カバー体１０と、袋本体８と保護カバー体１０とを接続するための接続部材１２と、を備えている。以下、これら各構成要素について説明する。
【００１９】
袋本体８は、袋状の収納本体部１４と、この収納本体部１４の開口部１６より延びる蓋部１８と、から構成されており、収納本体部１４の内部には、数珠６（後述する）を収納するための収納空間２０が規定されている。収納本体部１４の外側部の片面には矩形状の本体部側面ファスナ２２が設けられ、また蓋部１８の片面には、本体部側面ファスナ２２に対応する矩形状の蓋部側面ファスナ２４が設けられており、これら本体部側面ファスナ２２及び蓋部側面ファスナ２４はそれぞれ相互に着脱自在に係止される。収納本体部１４の開口部１６が開放された開状態（図１の状態）より、蓋部１８を所定方向（図１中の矢印Ｐで示す方向）に折り曲げて蓋部１８の片面を収納本体部１４の外側部の片面に近接対置させ、本体部側面ファスナ２２及び蓋部側面ファスナ２４を相互に係止させることにより、収納本体部１４の開口部１６が蓋部１８により閉塞される閉状態となる。また、この閉状態より本体部側面ファスナ２２及び蓋部側面ファスナ２４を相互に引き離し、蓋部１８を収納本体部１４より離間させて元の開状態に戻すことにより、収納本体部１４の開口部１６が開放される。
【００２０】
保護カバー体１０は、略矩形状の本体部２６と、本体部２６の一端部２８と他端部３０とを相互に着脱自在に結合するための結合手段３２と、から構成され、本体部２６は例えば厚手の布などから構成される。結合手段３２は、本体部２６の片面の一端部２８に設けられた矩形状の第１の面ファスナ３４と、本体部２６の他面の他端部３０に設けられた第２の面ファスナ３６と、から構成され、これら第１の面ファスナ３４と第２の面ファスナ３６とは相互に着脱自在に係止される（図２参照）。本体部２６をその片面が内側になるようにして両端部２８，３０をそれぞれ折り曲げ、第１及び第２の面ファスナ３４，３６を相互に係止させて本体部２６の一端部２８と他端部３０とを相互に結合させることにより、保護カバー体１０が筒状に構成される。後述するように数珠６の房４を収納する際や、数珠入れ２を使用しない場合に保護カバー体１０を袋本体８の収納空間２０に収納しておく際には、上述のようにして保護カバー体１０を筒状に構成する。
【００２１】
接続部材１２は例えば紐などから構成され、その一端部は収納本体部１４の内側部の開口部１６近傍に取り付けられ、またその他端部は保護カバー体１０の本体部２６の一側部に取り付けられており、袋本体８と保護カバー体１０とがこの接続部材１２により接続される。この接続部材１２は適宜のものでよく、例えばゴム紐及び組紐などの各種の紐や、鎖又は帯状体などから構成するようにしてもよい。
【００２２】
次に、数珠６を数珠入れ２に収納する方法について説明する。まず、数珠６について説明すると、この数珠６は、環状の数珠本体３８と、この数珠本体３８に取り付けられた房４と、を備えている。数珠本体３８は、例えば１個の親珠４０と複数個の子珠４２とが中糸（図示せず）によって環状に繋がれることにより構成されている。房４は、多数本の房糸４４から構成され、各房糸４４の一端部はそれぞれ親珠４０より延びる結束部材４６に結束され、これにより房４が数珠本体３８に取り付けられる。
【００２３】
この数珠６を数珠入れ２に収納する際には、収納本体部１４の開口部１６を開状態にさせて保護カバー体１０を袋本体８の収納空間２０より取り出し、保護カバー体１０の本体部２６の第１及び第２の面ファスナ３４，３６を相互に引き離して、本体部２６を平面状に展開した状態に保持させる。そして、数珠６の房４を、各房糸４４が束ねられた状態で本体部２６の片面に載置し（図２参照）、本体部２６の他端部３０を所定方向（図２中の矢印Ｑで示す方向）に折り曲げ、さらにその一端部２８を所定方向（図２中の矢印Ｒで示す方向）に折り曲げて第１及び第２の面ファスナ３４，３６を相互に係止させることにより、本体部２６の一端部２８及び他端部３０を相互に結合させる。これにより房４は本体部２６により巻き付けられ、房４が保護カバー体１０に収納される（図３参照）。このように房４が保護カバー体１０に収納された状態において、各房糸４４は束ねられた状態に保持されるため、房４が外側に拡がったり、各房糸４４が折れ曲がったりするなどして房４が乱れた状態となることがない。
【００２４】
なお、筒状に構成された本体部２６の軸方向の長さは、数珠６の房４の長さとほぼ同じ長さに構成することが好ましく、このように構成することにより、房４のほぼ全体を保護カバー体１０に収納することができる。また、筒状に構成された本体部２６の内径は、房４の外径よりも僅かに大きく構成することが好ましく、このように構成することにより、房４が本体部２６により適度な大きさの力で挟持されるので、房４の外形が崩れてしまうことがなく、また房４が保護カバー体１０から抜けてしまうのを防止することができる。
【００２５】
このように房４が保護カバー体１０に収納された状態より、親珠４０を中糸を軸として図４中の矢印Ｓで示す方向に約１８０度回転させて、房４が収納された保護カバー体１０を数珠本体３８の内側の空間に配置させ、この状態で数珠６を袋本体８の収納本体部１４の開口部１６より収納空間２０に収納する（図４参照）。そして、蓋部１８を所定方向（図１中の矢印Ｐで示す方向）に折り曲げて本体部側面ファスナ２２及び蓋部側面ファスナ２４を相互に係止させ、収納本体部１４の開口部１６を蓋部１８により閉状態とすることにより、数珠６が数珠入れ２に収納される。
【００２６】
以上のようにして、数珠６は、その房４が保護カバー体１０に収納された状態で袋本体８に収納されるので、房４が外側に拡がったり、各房糸４４が折れ曲がったりするなどして房４が乱れた状態となることがなく、房４に拡がりくせや折り曲がりくせなどが付くのを防止することができる。
【００２７】
数珠６を数珠入れ２から取り出す際には、本体部側面ファスナ２２及び蓋部側面ファスナ２４を相互に引き離して収納本体部１４の開口部１６を開状態とし、数珠６を袋本体８の収納空間２０より取り出して、房４を本体部２６から図３中の矢印Ｔで示す方向に引き抜く。これにより房４が保護カバー体１０から取り出され、数珠６が数珠入れ２から完全に取り出される。
【００２８】
第２の実施形態
次に、図５を参照して、第２の実施形態の数珠入れについて説明する。図５は、本考案の第２の実施形態による数珠入れを示す斜視図である。なお、以下の実施形態において、第１の実施形態と実質上同一の構成要素には同一の符号を付し、その説明を省略する。
【００２９】
第２の実施形態の数珠入れ２Ａでは、接続部材１２Ａと保護カバー体１０Ａとは相互に着脱自在に構成されており、接続部材１２Ａの他端部には矩形状の接続部材側面ファスナ４８が取り付けられ、また保護カバー体１０Ａの本体部２６Ａの他面には、接続部材側面ファスナ４８と相互に着脱自在に係止される矩形状のカバー体側面ファスナ５０が設けられている。数珠入れ２Ａの通常の使用状態においては、接続部材側面ファスナ４８及びカバー体側面ファスナ５０を相互に係止させて、保護カバー体１０Ａを接続部材１２Ａに取り付けた状態にさせる。
【００３０】
数珠６を数珠入れ２Ａから取り出す際には、接続部材側面ファスナ４８及びカバー体側面ファスナ５０を相互に引き離して保護カバー体１０Ａを接続部材１２Ａから取り外すことにより、房４が保護カバー体１０Ａに収納された状態で数珠６を数珠入れ２Ａより取り出すことができる。これにより、数珠入れ２Ａより取り出した数珠６を例えば上着のポケットなどに収納する場合であっても、房４が乱れた状態となるのを防止することができる。取り出した数珠６を再び数珠入れ２Ａに収納する際には、接続部材側面ファスナ４８及びカバー体側面ファスナ５０を相互に係止させて、保護カバー体１０Ａを接続部材１２Ａに再度取り付ければよい。なお、上述した第１の実施形態と同様に、保護カバー体１０Ａを接続部材１２Ａに取り付けた状態のまま、数珠６を数珠入れ２Ａから取り出すことも可能である。
【００３１】
第３の実施形態
次に、図６及び図７を参照して、第３の実施形態の数珠入れについて説明する。図６は、本考案の第３の実施形態による数珠入れを示す斜視図であり、図７は、数珠の一部が図６の数珠入れに収納された状態を示す図である。
【００３２】
第３の実施形態の数珠入れ２Ｂでは、袋本体８Ｂは二つ折りに構成され、袋本体８Ｂの片面の一端部には袋状の第１収納部５２が設けられ、またその他端部には袋状の第２収納部５４が設けられている。第１収納部５２の内部には、数珠６が収納される第１収納空間５６が規定され、また第２収納部５４の内部には、例えば経典５８などが収納される第２収納空間６０が規定されている。
【００３３】
保護カバー体１０Ｂは、例えば布などで構成される筒状の本体部２６Ｂを有し、本体部２６Ｂの一方の開口部６１には紐通し部６２が設けられており、この紐通し部６２は、所定の間隔を置いて配置された複数の孔６４から構成されている。この紐通し部６２には絞り紐６６が挿通され、絞り紐６６の両端部６８は、隣接する一対の孔６４より外部にそれぞれ引き出されている。また、この絞り紐６６に関連して球形の保持具７０が設けられており、保持具７０の内部には径方向に延びる貫通孔７２が設けられ、この貫通孔７２には絞り紐６６の両端部６８が移動自在に挿通されている。本体部２６Ｂの一方の開口部６１を開放させた開状態（図６参照）より、絞り紐６６の両端部６８を外側に引いて保持具７０を本体部２６Ｂ側に移動させることにより、本体部２６Ｂの一方の開口部６１が絞られて閉状態となる（図７参照）。この閉状態より、保持具７０を本体部２６Ｂ側とは反対側に移動させ、絞られた開口部６１を手などを用いて拡げることにより、本体部２６Ｂの一方の開口部６１が再び開状態となる。
【００３４】
接続部材１２Ｂの一端部は、第１収納部５２の内側面に取り付けられ、またその他端部は、保護カバー体１０Ｂの本体部２６Ｂの外側部に取り付けられている。
次に、数珠６を数珠入れ２Ｂに収納する方法について説明すると、まず保護カバー体１０Ｂを第１収納部５２の第１収納空間５６より取り出し、保護カバー体１０Ｂの本体部２６Ｂの一方の開口部を開状態にさせる。そして、数珠６の房４を本体部２６Ｂの一方の開口部６１より挿入して本体部２６Ｂの内部に配設させ、絞り紐６６の両端部６８を外側に引いて保持具７０を本体部２６Ｂ側に移動させて、本体部２６Ｂの一方の開口部６１を絞って閉状態にさせることにより、房４が保護カバー体１０Ｂに収納される。結束部材（図示せず）は、絞られた本体部２６Ｂの一方の開口部６１により挟持されるので、房４が保護カバー体１０Ｂより抜けてしまうことがない。このように房４が保護カバー体１０Ｂに収納された状態において、上述した第１及び第２の実施形態と同様にして数珠６を第１収納部５２の第１収納空間５６に収納し、袋本体８Ｂをその片面を内側にして二つ折りに畳むことにより数珠６が数珠入れ２Ｂに収納される（図７参照）。
【００３５】
数珠６を数珠入れ２Ｂから取り出す際には、数珠６を第１収納空間５６より取り出し、保持具７０を本体部２６Ｂ側とは反対側に移動させて絞られた開口部６１を手などを用いて拡げて開状態にさせ、房４を保護カバー体１０Ｂから引き抜くことにより数珠６が数珠入れ２Ｂから完全に取り出される。
【００３６】
本実施形態においても、上述した第１及び第２の実施形態と同様に、房４を保護カバー体１０Ｂに収納することにより、房４が外側に拡がったり、各房糸４４が折れ曲がったりするなどして、房４が乱れた状態となるのを防止することが可能となる。
【００３７】
なお、房４を保護カバー体１０Ｂに収納しやすくするため、本体部２６Ｂの一方の開口部６１の外径を房４の外径よりも大きく構成することが好ましく、例えば本体部２６Ｂを、その一方の開口部６１の外径が他方の開口部７４の外径よりも大きくなるようなテーパ状に構成するようにしてもよい。また、本実施形態では、数珠６の房４を保護カバー体１０Ｂに収納する際に、房４を本体部２６Ｂの一方の開口部６１より挿入するようにしたが、例えば数珠本体３８を縦長の楕円状に折りたたみ、数珠本体３８の房４とは反対側を本体部２６Ｂの他方の開口部７４より挿入して、房４が本体部２６Ｂ内に配設されるまで数珠本体３８を本体部２６Ｂ内で移動させることにより、房４を保護カバー体１０Ｂに収納するようにしてもよい。
【００３８】
以上、本考案に従う数珠入れの種々の実施形態について説明したが、本考案はかかる実施形態に限定されるものではなく、本考案の範囲を逸脱することなく種々の変形乃至修正が可能である。
【００３９】
例えば、第１及び第２の実施形態では、結合手段３２は、第１及び第２の面ファスナ３４，３６から構成したが、これに限られず、例えばボタンやホックなどから構成してもよく、本体部２６（２６Ａ）の一端部２８と他端部３０とを相互に着脱自在に結合することができる適宜のものから構成することができる。
【００４０】
また例えば、第３の実施形態において、第２の実施形態と同様に、接続部材１２Ｂと保護カバー体１０Ｂとを相互に着脱自在に構成するようにしてもよい。また、第１の実施形態で示した袋本体８と第３の実施形態で示した保護カバー体１０Ｂとを組み合わせてもよく、あるいは、第１の実施形態で示した保護カバー体１０と第３の実施形態で示した袋本体８Ｂとを組み合わせるようにしてもよい。さらに、袋本体８（８Ｂ）は、数珠６を収納することができる適宜の形態のものから構成することができる。
【００４１】
また例えば、上記各実施形態では、袋本体８（８Ｂ）と保護カバー体１０（１０Ａ，１０Ｂ）とを接続部材１２（１２Ａ，１２Ｂ）により接続するように構成したが、この接続部材１２（１２Ａ，１２Ｂ）を省略して、例えば保護カバー体１０（１０Ｂ）を袋本体８（８Ｂ）の収納本体部１４（第１収納部５２）の内側部などに一体に又は着脱自在に取り付けるようにしてもよい。
【図面の簡単な説明】
【００４２】
【図１】本考案の第１の実施形態による数珠入れを示す斜視図である。
【図２】数珠の房を図１の保護カバー体に収納する前の状態を示す図である。
【図３】数珠の房を図１の保護カバー体に収納した状態を示す図である。
【図４】数珠の一部が図１の数珠入れに収納された状態を示す図である。
【図５】本考案の第２の実施形態による数珠入れを示す斜視図である。
【図６】本考案の第３の実施形態による数珠入れを示す斜視図である。
【図７】数珠の一部が図６の数珠入れに収納された状態を示す図である。
【符号の説明】
【００４３】
２，２Ａ，２Ｂ  数珠入れ
４  房
６  数珠
８，８Ｂ  袋本体
１０，１０Ａ，１０Ｂ  保護カバー体
１２，１２Ａ，１２Ｂ  接続部材
２６，２６Ａ，２６Ｂ  本体部
３２  結合手段
３４  第１の面ファスナ
３６  第２の面ファスナ
６２  紐通し部
６６  絞り紐
【図１】
0003112787.tif 000003
【図２】
0003112787.tif 000004
【図３】
0003112787.tif 000005
【図４】
0003112787.tif 000006
【図５】
0003112787.tif 000007
【図６】
0003112787.tif 000008
【図７】
0003112787.tif 000009